(57)【要約】  本発明は、ディスプレイ製造領域に関し、タッチディスプレイ製品の生産過程における製造プロセスを減少させることができるとともに、製品の歩留まりを向上させて、付加価値を増大させることができる、タッチ制御表示回路構成及びその駆動方法、アレイ基板、並びに表示装置を提供する。このタッチ制御表示回路構成は、互いに接続されるタッチ制御ユニット及び表示ユニットと、前記表示ユニットに接続される第一のスキャン線、第二のスキャン線、第三のスキャン線、信号制御線、データ線、第一のレベル端、及び第二のレベル端と、前記タッチ制御ユニットに接続される前記第二のスキャン線、前記第三のスキャン線、及び信号採取線とを含む。本発明の実施形態は、ディスプレイ製造に適用される。
2016522429.tif 000002
【特許請求の範囲】
【請求項１】
タッチ制御表示回路構成であって、
互いに接続されるタッチ制御ユニット及び表示ユニットと、
前記表示ユニットに接続される第一のスキャン線、第二のスキャン線、第三のスキャン線、信号制御線、データ線、第一のレベル端、及び第二のレベル端と、
前記タッチ制御ユニットに接続される前記第二のスキャン線、前記第三のスキャン線、及び信号採取線と、を含み、
前記表示ユニットは、駆動モジュール及び発光モジュールを含み、
前記駆動モジュールは、前記第一のスキャン線、前記第二のスキャン線、前記信号制御線、前記データ線、前記第一のレベル端、及び前記タッチ制御ユニットに接続されており、
前記発光モジュールは、前記駆動モジュール、前記第三のスキャン線、及び前記第二のレベル端に接続されており、
前記駆動モジュールは、前記第一のスキャン線、前記第二のスキャン線、前記信号制御線、及び前記データ線の制御に基づいて、前記タッチ制御ユニットに第一のレベルを提供し、前記タッチ制御ユニットは、前記信号採取線に前記第一のレベルを増幅した第一の増幅信号を出力し、又は、前記タッチ制御ユニットは、タッチされる時に前記信号採取線に第二の増幅信号を出力し、前記駆動モジュールは、前記第一のスキャン線、前記第二のスキャン線、前記信号制御線、及び前記データ線の制御に基づいて、前記第一のレベル端及び前記第二のレベル端を介して、前記発光モジュールに発光信号を提供し、前記第三のスキャン線は、前記発光信号を制御して、前記発光モジュールを駆動して発光させる、タッチ制御表示回路構成。
【請求項２】
前記タッチ制御ユニットは、第一のスイッチトランジスタ、第二のスイッチトランジスタ、第一のキャパシタ、及び増幅トランジスタを含み、
前記第一のスイッチトランジスタのゲートが前記第二のスキャン線に接続され、前記第一のスイッチトランジスタのソースが前記表示ユニットの前記駆動モジュールに接続されており、
前記増幅トランジスタのゲートが前記第一のスイッチトランジスタのドレーンに接続され、前記増幅トランジスタのソースが前記第一のキャパシタの第一の極に接続されており、
前記第一のキャパシタの第二の極がタッチ制御電極として前記第一のスイッチトランジスタのドレーンに接続され、前記第一のキャパシタの前記第一の極がアース端に接続されており、
前記第二のスイッチトランジスタのゲートが前記第三のスキャン線に接続され、前記第二のスイッチトランジスタのソースが前記増幅トランジスタのドレーンに接続され、前記第二のスイッチトランジスタのドレーンが前記信号採取線に接続されている、請求項１に記載のタッチ制御表示回路構成。
【請求項３】
前記駆動モジュールは、第二のキャパシタ、駆動トランジスタ、第三のスイッチトランジスタ、第四のスイッチトランジスタ、第五のスイッチトランジスタ、及び第六のスイッチトランジスタを含み、
前記第三のスイッチトランジスタのゲートが前記第二のスキャン線に接続され、前記第三のスイッチトランジスタのソースが前記第一のレベル端に接続されており、
前記第四のスイッチトランジスタのゲートが前記第一のスキャン線に接続され、前記第四のスイッチトランジスタのソースが前記第三のスイッチトランジスタのドレーンに接続されており、
前記第五のスイッチトランジスタのゲートが前記第一のスキャン線に接続され、前記第五のスイッチトランジスタのソースが前記データ線に接続され、前記第五のスイッチトランジスタのドレーンが前記タッチ制御ユニットに接続されており、
前記第二のキャパシタの第一の極が前記第五のスイッチトランジスタのドレーンに接続され、前記第二のキャパシタの第二の極が前記第四のスイッチトランジスタのドレーンに接続されており、
前記第六のスイッチトランジスタのゲートが前記信号制御線に接続され、前記第六のスイッチトランジスタのソースが前記第一のレベル端に接続され、前記第六のスイッチトランジスタのドレーンが前記第五のスイッチトランジスタのドレーンに接続されており、
前記駆動トランジスタのゲートが前記第二のキャパシタの前記第二の極に接続され、前記駆動トランジスタのソースが前記第三のスイッチトランジスタのドレーンに接続されており、
前記駆動トランジスタのドレーンが前記発光モジュールに接続され、前記第一のレベル端は、前記駆動トランジスタのドレーン及び前記第二のレベル端を介して通じて前記発光モジュールに前記発光信号を提供し、前記第三のスキャン線は、前記発光信号を制御して、前記発光モジュールを駆動して発光させる、請求項１に記載のタッチ制御表示回路構成。
【請求項４】
前記発光モジュールは、第七のスイッチトランジスタ及び発光素子を含み、
前記第七のスイッチトランジスタのゲートが前記第三のスキャン線に接続され、前記第七のスイッチトランジスタのソースが前記駆動モジュールに接続され、前記第七のスイッチトランジスタのドレーンが前記第二のレベル端に接続されており、
前記発光素子の一方の極が駆動トランジスタのドレーンに接続され、前記発光素子の他方の極が前記第二のレベル端に接続されている、請求項１に記載のタッチ制御表示回路構成。
【請求項５】
前記発光モジュールは、第七のスイッチトランジスタ及び発光素子を含み、
前記第七のスイッチトランジスタのゲートが前記第三のスキャン線に接続され、前記第七のスイッチトランジスタのソースが前記駆動モジュールに接続され、
前記発光素子の一方の極が前記第七のスイッチトランジスタのドレーンに接続され、前記発光素子の他方の極が第二のレベル端に接続されている、請求項１に記載のタッチ制御表示回路構成。
【請求項６】
前記のタッチ制御表示回路構成で用いられるトランジスタは、いずれも同一のタイプのトランジスタである、請求項２ないし４のいずれか一項に記載のタッチ制御表示回路構成。
【請求項７】
タッチ制御表示回路構成の駆動方法であって、
第一の段階では、駆動モジュールがタッチ制御ユニットに第一のレベルを提供し、前記タッチ制御ユニットが信号採取線に第一の増幅信号を出力することと、
第二の段階では、前記タッチ制御ユニットがタッチされる時に、前記タッチ制御ユニットが前記信号採取線に第二の増幅信号を出力することと、
第三の段階では、前記駆動モジュールが動作電圧を記憶することと、
第四の段階では、前記タッチ制御ユニットが停滞して、前記駆動モジュールが前記動作電圧において発光モジュールに発光信号を印加することとを含む、駆動方法。
【請求項８】
前記タッチ制御ユニットが、第一のスイッチトランジスタ、第二のスイッチトランジスタ、第一のキャパシタ、及び増幅トランジスタを含む場合に、前記駆動方法は、
第一の段階では、前記タッチ制御ユニットの前記第一のスイッチトランジスタ、前記第二のスイッチトランジスタ、及び前記増幅トランジスタが導通状態になって、前記駆動モジュールが前記第一のスイッチトランジスタのソースに第一のレベルを提供し、前記増幅トランジスタのドレーンが前記第二のスイッチトランジスタを介して前記信号採取線に第一の増幅信号を出力することと、
第二の段階では、前記タッチ制御ユニットの前記第二のスイッチトランジスタ及び前記増幅トランジスタが導通状態になり、前記第一のスイッチトランジスタが遮断状態になって、前記第一のキャパシタの第二の極がタッチされる時に、前記増幅トランジスタのドレーンが前記第二のスイッチトランジスタを介して前記信号採取線に第二の増幅信号を出力することと、
第三の段階では、前記タッチ制御ユニットの前記第二のスイッチトランジスタ及び前記増幅トランジスタが導通状態になり、前記第一のスイッチトランジスタが遮断状態になって、前記駆動モジュールが動作電圧を記憶することと、
第四の段階では、前記タッチ制御ユニットの前記第二のスイッチトランジスタ及び前記増幅トランジスタが遮断状態になり、前記第一のスイッチトランジスタが導通状態になって、前記駆動モジュールが発光モジュールに発光信号を印加することとを含む、請求項７に記載の駆動方法。
【請求項９】
前記駆動モジュールが、第三のスイッチトランジスタ、第四のスイッチトランジスタ、第五のスイッチトランジスタ、第六のスイッチトランジスタ、第二のキャパシタ、及び駆動トランジスタを含む場合に、前記駆動方法は、更に、
前記第一の段階では、前記駆動モジュールの前記第三のスイッチトランジスタ、前記第四のスイッチトランジスタ、前記第五のスイッチトランジスタ、及び前記駆動トランジスタが導通状態になり、前記第六のスイッチトランジスタが遮断状態になって、データ線が高レベルリセット信号を入力して、第一のレベル端が前記第二のキャパシタに充電することと、
前記第二の段階では、前記駆動モジュールの前記第四のスイッチトランジスタ、前記第五のスイッチトランジスタ、及び前記駆動トランジスタが導通状態になり、前記第三のスイッチトランジスタ及び前記第六のスイッチトランジスタが遮断状態になって、前記第二のキャパシタは、前記第二のキャパシタの第二の極の電圧値が前記駆動トランジスタの閾値電圧と等しくなるまで、放電することと、
前記第三の段階では、前記駆動モジュールの前記第六のスイッチトランジスタ及び前記駆動トランジスタが導通状態になり、前記第三のスイッチトランジスタ、前記第四のスイッチトランジスタ、及び前記第五のスイッチトランジスタが遮断状態になって、前記第二のキャパシタの両極の電圧に等量のジャンプ変化が発生して、前記第二のキャパシタが前記動作電圧を記憶することと、
前記第四の段階では、前記駆動モジュールの前記第四のスイッチトランジスタ、前記第五のスイッチトランジスタ、及び前記第六のスイッチトランジスタが遮断状態になり、前記第三のスイッチトランジスタが導通状態になって、前記第二のキャパシタの第二の極が前記駆動トランジスタのゲートに前記動作電圧を提供して、前記駆動トランジスタを導通状態にして、前記第一のレベル端及び第二のレベル端が発光モジュールに発光信号を印加することとを含む、請求項７に記載の駆動方法。
【請求項１０】
前記発光モジュールが、第七のスイッチトランジスタ及び発光素子を含み、且つ、前記第七のスイッチトランジスタのソース及びドレーンと前記発光素子の両極とが並列に接続される場合に、前記駆動方法は、更に、
前記第一の段階では、前記第七のスイッチトランジスタが導通状態になることと、
前記第二の段階では、前記第七のスイッチトランジスタが導通状態になることと、
前記第三の段階では、前記第七のスイッチトランジスタが導通状態になることと、
前記第四の段階では、前記第七のスイッチトランジスタが遮断状態になって、前記駆動モジュールが第一のレベル端及び第二のレベル端を介して前記発光モジュールに発光信号を提供することとを含む、請求項７ないし９のいずれか一項に記載の駆動方法。
【請求項１１】
前記発光モジュールが、第七のスイッチトランジスタ及び発光素子を含み、且つ、前記第七のスイッチトランジスタのソース及びドレーンと前記発光素子の両極とが直列に接続される場合に、前記駆動方法は、更に
第一の段階では、前記第七のスイッチトランジスタが遮断状態になることと、
第二の段階では、前記第七のスイッチトランジスタが遮断状態になることと、
第三の段階では、前記第七のスイッチトランジスタが遮断状態になることと、
第四の段階では、前記第七のスイッチトランジスタが導通状態になって、前記駆動モジュールが第一のレベル端及び第二のレベル端を介して前記発光モジュールに発光信号を提供することとを含む、請求項７ないし９のいずれか一項に記載の駆動方法。
【請求項１２】
アレイ基板であって、
請求項１ないし６のいずれか一項に記載のタッチ制御表示回路構成を含むアレイ基板。
【請求項１３】
表示装置であって、
請求項１２に記載のアレイ基板を含む表示装置。
【発明の詳細な説明】
【技術分野】
【０００１】
本発明は、表示技術分野に関し、特に、タッチ制御表示回路構成及びその駆動方法、アレイ基板及び表示装置に関する。
【背景技術】
【０００２】
有機発光ディスプレイ（Ａｃｔｉｖｅ  Ｍａｔｒｉｘ／Ｏｒｇａｎｉｃ  Ｌｉｇｈｔ  Ｅｍｉｔｔｉｎｇ  Ｄｉｏｄｅ  ，ＡＭＯＬＥＤ）は、現在のパネルディスプレイ研究分野の焦点の一つであり、液晶ディスプレイに比べて、ＯＬＥＤ（Ｏｒｇａｎｉｃ  Ｌｉｇｈｔ−Ｅｍｉｔｔｉｎｇ  Ｄｉｏｄｅ、有機発光ダイオード）には、エネルギー消費が低い、製造コストが安い、自主発光、視角が大きい及び応答速度が速いなどの利点がある。目下、携帯電話、ＰＤＡ（Ｐｅｒｓｏｎａｌ  Ｄｉｇｉｔａｌ  Ａｓｓｉｓｔａｎｔ，ハンドヘルドパソコン）、デジタルカメラなどの表示領域においては、ＯＬＥＤは、従来のＬＣＤ（Ｌｉｑｕｉｄ  Ｃｒｙｓｔａｌ  Ｄｉｓｐｌａｙ、液晶ディスプレイ）表示スクリーンとの置き換えが始まっている。また、すでに、画素セル内部タッチ制御（Ｉｎ  ｃｅｌｌ  ｔｏｕｃｈ）技術をＬＣＤディスプレイに応用することに成功し、産業における一流のメーカにより、全て、大量に製造することに成功したが、技術と良品比率の制限により、市場において大規模的に且つ完全にはＡｄｄ  ｏｎ（表示装置の出光側に一層のタッチ制御用の電気容量薄膜を付加）方式の製品とＯＧＳ（Ｏｎｅ  Ｇｌａｓｓ  Ｓｏｌｕｔｉｏｎ、一体化タッチ制御）方式の製品とを置き換えることができていない。また、ＡＭＯＬＥＤとＩｎ  ｃｅｌｌ  ｔｏｕｃｈを結合した製品は、いまだ整っておらず、このような製品のプロセスには、製品の製造プロセスが複雑で、製品の歩留まりが低いという問題がある。
【発明の概要】
【発明が解決しようとする課題】
【０００３】
本発明の実施態様は、タッチ制御表示製品の製造過程におけるプロセスを減少させ、コストを節約することができるとともに、製品の歩留まりを向上させて付加価値を増大させることができるタッチ制御表示回路構成及びその駆動方法、アレイ基板及び表示装置を提供する。
【課題を解決するための手段】
【０００４】
上記の目的を達成するために、本発明の実施態様は、以下のような技術方案を用いる。
タッチ制御表示回路構成を提供し、
このタッチ制御表示回路構成は、
互いに接続されるタッチ制御ユニット及び表示ユニットと、前記表示ユニットに接続される第一のスキャン線、第二のスキャン線、第三のスキャン線、信号制御線、データ線、第一のレベル端、及び第二のレベル端と、前記タッチ制御ユニットに接続される前記第二のスキャン線、前記第三のスキャン線、及び信号採取線と、を含み、
前記表示ユニットは、駆動モジュール及び発光モジュールを含み、
前記駆動モジュールは、前記第一のスキャン線、前記第二のスキャン線、前記信号制御線、前記データ線、前記第一のレベル端、及び前記タッチ制御ユニットに接続されており、
前記発光モジュールは、前記駆動モジュール、前記第三のスキャン線、及び前記第二のレベル端に接続されており、ここで、前記駆動モジュールは、前記第一のスキャン線、前記第二のスキャン線、前記信号制御線、及び前記データ線の制御に基づいて、前記タッチ制御ユニットに第一のレベルを提供し、前記タッチ制御ユニットは、前記信号採取線に前記第一のレベルを増幅した第一の増幅信号を出力し、又は、前記タッチ制御ユニットは、タッチされる時に前記信号採取線に第二の増幅信号を出力し、前記駆動モジュールは、前記第一のスキャン線、前記第二のスキャン線、前記信号制御線、及び前記データ線の制御に基づいて、前記第一のレベル端及び前記第二のレベル端を介して、前記発光モジュールに発光信号を提供し、前記第三のスキャン線は、前記発光信号を制御して、前記発光モジュールを駆動して発光させる。
【０００５】
選択的には、前記タッチ制御ユニットは、第一のスイッチトランジスタ、第二のスイッチトランジスタ、第一のキャパシタ、及び増幅トランジスタを含み、
前記第一のスイッチトランジスタのゲートが前記第二のスキャン線に接続され、前記第一のスイッチトランジスタのソースが前記表示ユニットの前記駆動モジュールに接続されており、
前記増幅トランジスタのゲートが前記第一のスイッチトランジスタのドレーンに接続され、前記増幅トランジスタのソースが前記第一のキャパシタの第一の極に接続されており、
前記第一のキャパシタの第二の極がタッチ制御電極として前記第一のスイッチトランジスタのドレーンに接続され、前記第一のキャパシタの前記第一の極がアース端に接続されており、
前記第二のスイッチトランジスタのゲートが前記第三のスキャン線に接続され、前記第二のスイッチトランジスタのソースが前記増幅トランジスタのドレーンに接続され、前記第二のスイッチトランジスタのドレーンが前記信号採取線に接続されている。
【０００６】
選択的には、前記駆動モジュールは、第二のキャパシタ、駆動トランジスタ、第三のスイッチトランジスタ、第四のスイッチトランジスタ、第五のスイッチトランジスタ、及び第六のスイッチトランジスタを含み、
前記第三のスイッチトランジスタのゲートが前記第二のスキャン線に接続され、前記第三のスイッチトランジスタのソースが前記第一のレベル端に接続されており、
前記第四のスイッチトランジスタのゲートが前記第一のスキャン線に接続され、前記第四のスイッチトランジスタのソースが前記第三のスイッチトランジスタのドレーンに接続されており、
前記第五のスイッチトランジスタのゲートが前記第一のスキャン線に接続され、前記第五のスイッチトランジスタのソースが前記データ線に接続され、前記第五のスイッチトランジスタのドレーンが前記タッチ制御ユニットに接続されており、
前記第二のキャパシタの第一の極が前記第五のスイッチトランジスタのドレーンに接続され、前記第二のキャパシタの第二の極が前記第四のスイッチトランジスタのドレーンに接続されており、
前記第六のスイッチトランジスタのゲートが前記信号制御線に接続され、前記第六のスイッチトランジスタのソースが前記第一のレベル端に接続され、前記第六のスイッチトランジスタのドレーンが前記第五のスイッチトランジスタのドレーンに接続されており、
前記駆動トランジスタのゲートが前記第二のキャパシタの前記第二の極に接続され、前記駆動トランジスタのソースが前記第三のスイッチトランジスタのドレーンに接続されており、
前記駆動トランジスタのドレーンが前記発光モジュールに接続され、前記第一のレベル端は、前記駆動トランジスタのドレーン及び前記第二のレベル端を介して前記発光モジュールに前記発光信号を提供し、前記第三のスキャン線は、前記発光信号を制御して、前記発光モジュールを駆動して発光させる。
【０００７】
選択的には、前記発光モジュールは、第七のスイッチトランジスタ及び発光素子を含み、
前記第七のスイッチトランジスタのゲートが前記第三のスキャン線に接続され、前記第七のスイッチトランジスタのソースが前記駆動モジュールに接続され、前記第七のスイッチトランジスタのドレーンが前記第二のレベル端に接続されており、
前記発光素子の一方の極が前記駆動トランジスタのドレーンに接続され、前記発光素子の他方の極が前記第二のレベル端に接続されている。
【０００８】
選択的には、前記発光モジュールは、第七のスイッチトランジスタ及び発光素子を含み、
前記第七のスイッチトランジスタのゲートが前記第三のスキャン線に接続され、前記第七のスイッチトランジスタのソースが前記駆動モジュールに接続され、
前記発光素子の一方の極が前記第七のスイッチトランジスタのドレーンに接続され、前記発光素子の他方の極が第二のレベル端に接続されている。
【０００９】
選択的には、前記のタッチ制御表示回路構成で用いられるトランジスタは、いずれも同一のタイプのトランジスタである。
【００１０】
また、タッチ制御表示回路構成の駆動方法を提供し、
この駆動方法は、
第一の段階では、駆動モジュールがタッチ制御ユニットに第一のレベルを提供し、前記タッチ制御ユニットが信号採取線に第一の増幅信号を出力することと、
第二の段階では、前記タッチ制御ユニットがタッチされる時に、前記タッチ制御ユニットが前記信号採取線に第二の増幅信号を出力することと、
第三の段階では、前記駆動モジュールが動作電圧を記憶することと、
第四の段階では、前記タッチ制御ユニットが停滞して、前記駆動モジュールが前記動作電圧において発光モジュールに発光信号を印加することと、を含む。
【００１１】
選択的には、前記タッチ制御ユニットが、第一のスイッチトランジスタ、第二のスイッチトランジスタ、第一のキャパシタ、及び増幅トランジスタを含む場合に、前記方法は、具体的には、
第一の段階では、前記タッチ制御ユニットの前記第一のスイッチトランジスタ、前記第二のスイッチトランジスタ、及び前記増幅トランジスタが導通状態になって、前記駆動モジュールが前記第一のスイッチトランジスタのソースに第一のレベルを提供し、前記増幅トランジスタのドレーンが前記第二のスイッチトランジスタを介して前記信号採取線に第一の増幅信号を出力することと、
第二の段階では、前記タッチ制御ユニットの前記第二のスイッチトランジスタ及び前記増幅トランジスタが導通状態になり、前記第一のスイッチトランジスタが遮断状態になって、前記第一のキャパシタの第二の極がタッチされる時に、前記増幅トランジスタのドレーンが前記第二のスイッチトランジスタを介して前記信号採取線に第二の増幅信号を出力することと、
第三の段階では、前記タッチ制御ユニットの前記第二のスイッチトランジスタ及び前記増幅トランジスタが導通状態になり、前記第一のスイッチトランジスタが遮断状態になって、前記駆動モジュールが動作電圧を記憶することと、
第四の段階では、前記タッチ制御ユニットの前記第二のスイッチトランジスタ及び前記増幅トランジスタが遮断状態になり、前記第一のスイッチトランジスタが導通状態になって、前記駆動モジュールが発光モジュールに発光信号を印加することと、を含む。
【００１２】
選択的には、前記駆動モジュールは、第三のスイッチトランジスタ、第四のスイッチトランジスタ、第五のスイッチトランジスタ、第六のスイッチトランジスタ、第二のキャパシタ、及び駆動トランジスタを含む場合に、前記駆動方法は、更に、
前記第一の段階では、前記駆動モジュールの前記第三のスイッチトランジスタ、前記第四のスイッチトランジスタ、前記第五のスイッチトランジスタ、及び前記駆動トランジスタが導通状態になり、前記第六のスイッチトランジスタが遮断状態になって、データ線が高レベルリセット信号を入力して、第一のレベル端が前記第二のキャパシタに充電することと、
前記第二の段階では、前記駆動モジュールの前記第四のスイッチトランジスタ、前記第五のスイッチトランジスタ、及び前記駆動トランジスタが導通状態になり、前記第三のスイッチトランジスタ及び前記第六のスイッチトランジスタが遮断状態になって、前記第二のキャパシタは、前記第二のキャパシタの第二の極の電圧値が前記駆動トランジスタの閾値電圧と等しくなるまで、放電することと、
前記第三の段階では、前記駆動モジュールの前記第六のスイッチトランジスタ及び前記駆動トランジスタが導通状態になり、前記第三のスイッチトランジスタ、前記第四のスイッチトランジスタ、及び前記第五のスイッチトランジスタが遮断状態になって、前記第二のキャパシタの両極の電圧に等量のジャンプ変化が発生して、前記第二のキャパシタが前記動作電圧を記憶することと、
前記第四の段階では、前記駆動モジュールの前記第四のスイッチトランジスタ、前記第五のスイッチトランジスタ、及び前記第六のスイッチトランジスタが遮断状態になり、前記第三のスイッチトランジスタが導通状態になって、前記第二のキャパシタの第二の極が前記駆動トランジスタのゲートに前記動作電圧を提供して、前記駆動トランジスタを導通状態にして、前記第一のレベル端及び第二のレベル端が発光モジュールに発光信号を印加することと、を含む。
【００１３】
選択的には、前記発光モジュールが、第七のスイッチトランジスタ及び発光素子を含み、且つ、前記第七のスイッチトランジスタのソース及びドレーンと前記発光素子の両極とが並列に接続される場合に、前記方法は、更に、
前記第一の段階では、前記第七のスイッチトランジスタが導通状態になることと、
前記第二の段階では、前記第七のスイッチトランジスタが導通状態になることと、
前記第三の段階では、前記第七のスイッチトランジスタが導通状態になることと、
前記第四の段階では、前記第七のスイッチトランジスタが遮断状態になって、前記駆動モジュールが前記第一のレベル端及び前記第二のレベル端を介して前記発光モジュールに発光信号を提供することとを含む。
【００１４】
選択的には、前記発光モジュールが、第七のスイッチトランジスタ及び発光素子を含み、且つ、前記第七のスイッチトランジスタのソース及びドレーンと前記発光素子の両極とが直列に接続される場合に、前記方法は、
第一の段階では、前記第七のスイッチトランジスタが遮断状態になることと、
第二の段階では、前記第七のスイッチトランジスタが遮断状態になることと、
第三の段階では、前記第七のスイッチトランジスタが遮断状態になることと、
第四の段階では、前記第七のスイッチトランジスタが導通状態になって、前記駆動モジュールが前記第一のレベル端及び前記第二のレベル端を介して前記発光モジュールに発光信号を提供することとをさらに含む。
【００１５】
また、上記のいずれかのタッチ制御表示回路構成を含むアレイ基板を提供する。
【００１６】
また、上記のアレイ基板を含む表示装置を提供する。
【発明の効果】
【００１７】
本発明の実施態様によって提供されるタッチ制御表示回路構成及びその駆動方法、アレイ基板、並びに表示装置では、タッチ制御構成の回路と表示ユニットの回路を一緒に集積して、表示ユニットの製造フローを通して、同時に本発明の実施形態で提供されるタッチ制御構成を形成でき、さらにタッチ制御表示製品の生産過程における製造プロセスを減少させて、コストを節約することができるとともに、製品の歩留まりを向上させて、付加価値を増大させる。
【００１８】
本発明の実施形態または従来技術中の技術方案を更に明確に説明するために、以下、実施形態または従来技術の記述に必要な図面を簡単に紹介する。当然ながら、以下の図面は、本発明の実施形態の一部に過ぎず、当業者は、創造的な労働をしない前提において、これらの図面に従って、他の図面を得ることができる。
【図面の簡単な説明】
【００１９】
【図１】本発明の実施形態が提供するタッチ制御表示回路構成の回路の模式図である。
【図２】本発明の別の実施形態が提供するタッチ制御表示回路構成の回路模式図である。
【図３】本発明の別の実施形態が提供するタッチ制御表示回路構成の回路模式図である。
【図４】本発明の実施形態が提供する、図２に示すようなタッチ制御表示回路構成の信号時系列状態の模式図である。
【図５】本発明の実施形態が提供するタッチ制御表示回路構成におけるタッチ制御電極の電圧変化の模式図である。
【発明を実施するための形態】
【００２０】
以下、本発明の実施形態の図面を参照して、本発明の実施形態の技術方案を明確且つ完全に説明する。当然ながら、記載した実施形態は、全ての実施形態ではなく、本発明の一部の実施形態のみである。当業者が創造的な労働をしないことを前提に、本発明の実施形態に基づいて得られた他の全ての実施形態は、いずれも本発明の保護範囲に含まれる。
【００２１】
本発明の全ての実施形態中に用いられるスイッチトランジスタ、増幅トランジスタ、及び駆動トランジスタは、いずれも薄膜トランジスタや、電界効果トランジスタや、他の特徴が同じな素子であってもよい。ここで用いられるスイッチのソースとドレーンは対称的なものであるので、ソースとドレーンは、交換されてもよい。本発明の実施形態において、トランジスタのゲート以外の両極を区別するために、その中の一極をソースと呼び、他の一極をドレーンと呼ぶ。図面中の形態に応じて、トランジスタの中間端をゲート、信号入力端をソース、信号出力端をドレーンと規定している。また、本発明の実施形態中に用いられるスイッチトランジスタは、Ｐ型スイッチトランジスタとＮ型スイッチトランジスタの２種類を含み、ここで、Ｐ型スイッチトランジスタは、ゲートが低レベルである場合に導通状態になって、ゲートが高レベルである場合に遮断状態になり、Ｎ型スイッチトランジスタは、ゲートが高レベルである場合に導通状態になって、ゲートが低レベルである場合に遮断状態になり、増幅トランジスタと駆動トランジスタは、Ｐ型とＮ型を含み、ここで、Ｐ型増幅トランジスタ又は駆動トランジスタは、ゲート電圧が低レベルであり、且つ閾値電圧よりもゲートとソースの電圧差の絶対値が大きい時に、増幅状態になっており、ソースの入力電圧を増幅して、ドレーンで出力することができ、また、Ｎ型増幅トランジスタ又は駆動トランジスタのゲート電圧が高レベル（ゲート電圧がソース電圧より大きい）であり、且つ閾値電圧よりもゲートとソースの電圧差の絶対値が大きい時に、増幅状態になっており、ソースの入力電圧を増幅して、ドレーンで出力することができ、なお、本発明の実施形態では、Ｐ型の増幅トランジスタ及び駆動トランジスタのみを用いた。
【００２２】
図１を参照すると、タッチ制御表示回路構成は、
互いに接続されるタッチ制御ユニット１と表示ユニット２と、
表示ユニット２と接続される第一のスキャン線Ｓ１、第二のスキャン線Ｓ２、第三のスキャン線Ｓ３、信号制御線Ｋ１、データ線Ｄｎ、第一のレベル端Ｖ１、及び第二のレベル端Ｖ２と、
タッチ制御ユニット１と接続される第二のスキャン線Ｓ２、第三のスキャン線Ｓ３、及び信号採取線Ｌ１と、を含み、
表示ユニット２は、駆動モジュール２１と発光モジュール２２を含み、
駆動モジュール２２は、第一のスキャン線Ｓ１、第二のスキャン線Ｓ２、信号制御線Ｋ１、データ線Ｄｎ、第一のレベル端Ｖ１と接続され、且つ、タッチ制御ユニット１と接続されており、
発光モジュール２２は、駆動モジュール２１、第三のスキャン線Ｓ３、及び第二のレベル端Ｖ２と接続されており、ここで、駆動モジュール２１は、第一のスキャン線Ｓ１、第二のスキャン線Ｓ２、信号制御線Ｋ１、データ線Ｄｎの制御に基づいて、タッチ制御ユニット１に第一のレベルを提供し、タッチ制御ユニット１は、信号採取線Ｌ１に第一のレベルを増幅した第一の増幅信号を出力し、あるいは、タッチ制御ユニット１は、タッチされる時に信号採取線Ｌ１に第二の増幅信号を出力し、駆動モジュール２１は、第一のスキャン線Ｓ１、第二のスキャン線Ｓ２、信号制御線Ｋ１、データ線Ｄｎの制御に基づいて、第一のレベル端Ｖ１と第二のレベル端Ｖ２を通じて、発光モジュール２２に発光信号を提供し、第三のスキャン線Ｓ３は、発光信号を制御して、発光モジュール２２を駆動して発光させる。
【００２３】
選択的には、図２を参照すると、本発明の実施形態は、タッチ制御ユニットの構成の模式図を提供し、ここで、タッチ制御ユニット１は、第一のスイッチトランジスタＴ１、第二のスイッチトランジスタＴ２、第一のキャパシタＣ１、及び増幅トランジスタＭ１を含み、
第一のスイッチトランジスタＴ１のゲートが第二のスキャン線と接続され、第一のスイッチトランジスタＴ１のソースが表示ユニット２の駆動モジュール２１と接続されており（図２と図３においては、第一のスイッチトランジスタＴ１のソースが第五のスイッチトランジスタＴ５のドレーンと接続されることによって実現する）、
増幅トランジスタＭ１のゲートが第一のスイッチトランジスタＳ１のドレーンと接続され、増幅トランジスタＭ１のソースが第一のキャパシタＣ１の第一の極と接続されており、
第一のキャパシタＣ１の第二の極はタッチ制御電極として第一のスイッチトランジスタＴ１のドレーンに接続され、第一のキャパシタＣ１の第一の極がアース端ＶＳＳと接続されており、
第二のスイッチトランジスタＴ２のゲートが第三のスキャン線Ｓ３と接続され、第二のスイッチトランジスタＴ２のソースが増幅トランジスタＭ１のドレーンと接続され、第二のスイッチトランジスタＴ２のドレーンが信号採取線Ｌ１と接続されている。
【００２４】
選択的には、図２を参照すると、本発明の実施形態で提供されるタッチ制御表示回路構成模式図は、駆動モジュールの構成を提供し、
この駆動モジュール２１は、第二のキャパシタＣ２、駆動トランジスタＤＴＦＴ、第三のスイッチトランジスタＴ３、第四のスイッチトランジスタＴ４、第五のスイッチトランジスタＴ５、第六のスイッチトランジスタＴ６を含み、
第三のスイッチトランジスタＴ３のゲートが第二のスキャン線Ｓ２と接続され、第三のスイッチトランジスタＴ３のソースが第一のレベル端Ｖ１と接続されており、
第四のスイッチトランジスタＴ４のゲートが第一のスキャン線Ｓ１と接続され、第四のスイッチトランジスタＴ４のソースが第三のスイッチトランジスタＴ３のドレーンと接続されており、
第五のスイッチトランジスタＴ５のゲートが第一のスキャン線Ｓ１と接続され、第五のスイッチトランジスタＴ４のソースがデータ線Ｄｎと接続され、第五のスイッチトランジスタＴ５のドレーンがタッチ制御ユニット１と接続されており（図２と図３においては、両方とも、第五のスイッチトランジスタＴ５のドレーンが第一のスイッチトランジスタＴ１のソースと接続されることによって実現する）、
第二のキャパシタＣ２の第一の極が第五のスイッチトランジスタＴ５のドレーンと接続され、第二のキャパシタＣ２の第二の極が第四のスイッチトランジスタＴ４のドレーンと接続されており、
第六のスイッチトランジスタＴ６のゲートが信号制御線Ｋ１と接続され、第六のスイッチトランジスタＴ６のソースが第一のレベル端Ｖ１と接続され、第六のスイッチトランジスタＴ６のドレーンが第五のスイッチトランジスタＴ５のドレーンと接続されており、
駆動トランジスタＤＴＦＴのゲートが第二のキャパシタＣ２の第二の極と接続され、駆動トランジスタＤＴＦＴのソースが第三のスイッチトランジスタＴ３のドレーンと接続されており、
駆動トランジスタＤＴＦＴのドレーンが発光モジュール２２と接続され、第一のレベル端Ｖ１は、駆動トランジスタＤＴＦＴのドレーンと第二のレベル端Ｖ２を通じて発光モジュール２２に発光信号を提供し、第三のスキャン線Ｓ３は、発光信号を制御して、発光モジュール２２を駆動して発光させる。
【００２５】
選択的には、図２を参照すると、発光モジュール２２は、第七のスイッチトランジスタＴ７と発光素子Ｏ１を含み、
第七のスイッチトランジスタＴ７のゲートが第三のスキャン線Ｓ３と接続され、第七のスイッチトランジスタＴ７のソースが駆動モジュールと接続され（図２においては、駆動モジュール２１の駆動トランジスタＤＴＦＴのドレーンと接続されることによって実現する）、第七のスイッチトランジスタＴ７のドレーンが第二のレベル端Ｖ２と接続されており、
発光素子Ｏ１の一極が駆動トランジスタＤＴＦＴのドレーンと接続され、発光素子Ｏ１の他の一極が第二のレベル端Ｖ２と接続されている。
【００２６】
選択的には、図３を参照すると、発光モジュール２１は、第七のスイッチトランジスタＴ７と発光素子Ｏ１を含み、
第七のスイッチトランジスタＴ７のゲートが第三のスキャン線Ｓ３と接続され、第七のスイッチトランジスタＴ７のソースが駆動モジュールと接続され（図３においては、駆動モジュール２１の駆動トランジスタＤＴＦＴのドレーンと接続されることによって実現する）、
発光素子Ｏ１の一極が第七のスイッチトランジスタＴ７のドレーンと接続され、発光素子Ｏ１の他の一極が第二のレベル端Ｖ２と接続されている。
【００２７】
当然ながら、ここで、図２及び図３中の発光素子Ｏ１は、アクティブ発光ダイオードＯＬＥＤであってもよい、このＯＬＥＤがボトムエミッション型ＯＬＥＤである場合に、第二のレベル端のレベルＶ２が第一のレベル端のレベルＶ１より低い、好ましくは、低レベルをアース端とし、なお、図２と図３では、ボトムエミッション型ＯＬＥＤを例とする。
【００２８】
さらに、上記のタッチ制御表示回路構成で用いられるのは、いずれも同一のタイプのトランジスタであってよく、具体的には、第一のスイッチトランジスタＴ１、第二のスイッチトランジスタＴ２、第三のスイッチトランジスタＴ３、第四のスイッチトランジスタＴ４、第五のスイッチトランジスタＴ５、第六のスイッチトランジスタＴ６、駆動トランジスタＤＴＦＴ、及び増幅トランジスタＭ１は、いずれも同一のタイプのトランジスタであってよく、ここで、「Ｎ」型トランジスタを用いてもよい、この時、発光モジュール２１が第七のスイッチトランジスタＴ７と発光素子Ｏ１を含み、且つ、第七のスイッチトランジスタＴ７のソース、ドレーンが発光素子Ｏ１の両極と並列的に接続される場合に、第七のスイッチトランジスタＴ７も「Ｎ」型トランジスタを用いて、このように、各トランジスタのタイプの一致性は、製造プロセスの減少に有利で、素子機能の統一性を保証し、また、発光モジュール２１が、第七のスイッチトランジスタＴ７と発光素子Ｏ１を含み、且つ、第七のスイッチトランジスタＴ７のソース、ドレーンが発光素子Ｏ１の両極と直列的に接続される場合に、第七のスイッチトランジスタＴ７に対して、「Ｐ」型トランジスタを用いる必要がある。
【００２９】
以上、各スイッチトランジスタのタイプを制限しなくて、Ｎ型であってよく、Ｐ型であってもよく、図２では、全てがＮ型のスイッチトランジスタであることを例として説明したが、当然ながら、タイプを適切に変更してもよく、ただし、対応のスイッチトランジスタのタイプを変更した後に、そのゲートが接続する信号線の信号を調整する必要もあり、当然ながら、これらの派生の場合は、いずれも本発明の実施形態の保護範囲に含まれる。
【００３０】
本発明の実施形態に提供されたタッチ制御表示回路構成は、タッチ制御構成の回路と表示ユニットの回路を一緒に集積して、表示ユニットの製造フローを通して、同時に本発明の実施形態で提供されるタッチ制御構成を形成して、さらに、タッチ制御表示製品の生産過程の製造プロセスを減少させて、コストを節約することができるとともに、製品の歩留まりを向上させて付加価値を増大させ、特に、本発明の実施形態は、表示ユニットのＡＭＯＬＥＤ駆動回路とタッチ制御構成（ｉｎ  ｔｈｅ  ｔｏｕｃｈ）の回路において必要とされる信号スキャン線とデータ線（Ｖｄａｔａ）を１つにして、ＡＭＯＬＥＤ表示とｉｎ  ｃｅｌｌ  ｔｏｕｃｈ機能の高効率の整合を実現した。また、表示ユニットは、電圧補償の方式によって、駆動トランジスタの閾値電圧シフトによるアクティブ発光素子の駆動電流の影響を回避することができ、さらに、表示画像の均一性を向上させた。
【００３１】
図１で提供される実施形態に対応するタッチ制御表示回路構成を参照すると、本発明の実施形態は、タッチ制御表示回路構成の駆動方法をさらに提供し、この駆動方法は、
第一の段階では、駆動モジュールがタッチ制御ユニットに第一のレベルを提供し、タッチ制御ユニットが信号採取線に第一のレベルを増幅した第一の増幅信号を出力することと、
第二の段階では、タッチ制御ユニットがタッチされる時に、タッチ制御ユニットが信号採取線に第二の増幅信号を出力することと、
第三の段階では、駆動モジュールが動作電圧を記憶することと、
第四の段階では、タッチ制御ユニットが停滞して、駆動モジュールが前記動作電圧において発光モジュールに発光信号を印加することと、を含む。
【００３２】
さらに、このタッチ制御表示回路の構成に含まれるタッチ制御ユニットが図２又は図３に示すタッチ制御ユニットであって、即ち、タッチ制御ユニットが、第一のスイッチトランジスタ、第二のスイッチトランジスタ、第一のキャパシタ、及び増幅トランジスタを含む場合に、この駆動方法は、具体的には、
第一の段階では、タッチ制御ユニットの第一のスイッチトランジスタ、第二のスイッチトランジスタと増幅トランジスタが導通状態になって、駆動モジュールが第一のスイッチトランジスタのソースに第一のレベルを提供し、増幅トランジスタのドレーンが第二のスイッチトランジスタを通じて信号採取線に第一の増幅信号を出力することと、
第二の段階では、タッチ制御ユニットの前記第二のスイッチトランジスタと増幅トランジスタが導通状態になって、第一のスイッチトランジスタが遮断状態になって、第一のキャパシタの第二の極がタッチされる時に、増幅トランジスタのドレーンが第二のスイッチトランジスタを通じて信号採取線に第二の増幅信号を出力することと、
第三の段階では、タッチ制御ユニットの第二のスイッチトランジスタと増幅トランジスタが導通状態になって、第一のスイッチトランジスタが遮断状態になって、駆動モジュールが動作電圧を記憶することと、
第四の段階では、タッチ制御ユニットの第二のスイッチトランジスタ及び増幅トランジスタが遮断状態になって、第一のスイッチトランジスタが導通状態になって、駆動モジュールが発光モジュールに発光信号を印加することと、を含む。
【００３３】
さらに、このタッチ制御表示回路の構成に含まれる駆動モジュールは、図２又は図３に示す駆動モジュールであって、即ち、駆動モジュールが、第三のスイッチトランジスタ、第四のスイッチトランジスタ、第五のスイッチトランジスタ、第六のスイッチトランジスタ、第二のキャパシタ、及び駆動トランジスタを含む場合に、この駆動方法は、更に、
第一の段階では、駆動モジュールの第三のスイッチトランジスタ、第四のスイッチトランジスタ、第五のスイッチトランジスタ、駆動トランジスタが導通状態になって、第六のスイッチトランジスタが遮断状態になって、データ線が高レベルリセット信号を入力して、第一のレベル端が第二のキャパシタに充電することと、
第二の段階では、駆動モジュールの第四のスイッチトランジスタ、第五のスイッチトランジスタ、駆動トランジスタが導通状態になって、第三のスイッチトランジスタと第六のスイッチトランジスタが遮断状態になって、第二のキャパシタは、第二のキャパシタの第二の極の電圧値が駆動トランジスタの閾値電圧と等しくなるまで、放電することと、
第三の段階では、駆動モジュールの第六のスイッチトランジスタ及び駆動トランジスタが導通状態になって、第三のスイッチトランジスタ、第四のスイッチトランジスタ、第五のスイッチトランジスタが遮断状態になって、第二のキャパシタの両極の電圧に等量のジャンプ変化が発生して、第二のキャパシタが前記動作電圧を記憶することと、
第四の段階では、駆動モジュールの第四のスイッチトランジスタ、第五のスイッチトランジスタ、第六のスイッチトランジスタが遮断状態になって、第三のスイッチトランジスタが導通状態になって、第二のキャパシタの第二の極が駆動トランジスタのゲートに動作電圧を提供して、駆動トランジスタを導通状態にして、第一のレベル端と第二のレベル端が発光モジュールに発光信号を印加することと、を含む。
【００３４】
さらに、図２に示す発光モジュール２１を用いる場合に、発光モジュール２１は、第七のスイッチトランジスタＴ７と発光素子Ｏ１を含み、且つ、第七のスイッチトランジスタＴ７のソース、ドレーンと発光素子の両極と並列に接続され、この場合に、この方法は、
第一の段階では、前記第七のスイッチトランジスタが導通状態になることと、
第二の段階では、前記第七のスイッチトランジスタが導通状態になることと、
第三の段階では、前記第七のスイッチトランジスタが導通状態になることと、
第四の段階では、第七のスイッチトランジスタが遮断状態になって、駆動モジュールが第一のレベル端と第二のレベル端を通じて発光モジュールに発光信号を提供することとをさらに含む。
【００３５】
選択的には、図３に示す発光モジュール２１を用いる場合に、発光モジュール２１は、第七のスイッチトランジスタＴ７と発光素子Ｏ１を含み、且つ、第七のスイッチトランジスタＴ７のソース、ドレーンと発光素子の両極と直列に接続され、この場合に、この方法は、
第一の段階では、前記第七のスイッチトランジスタが遮断状態になることと、
第二の段階では、前記第七のスイッチトランジスタが遮断状態になることと、
第三の段階では、前記第七のスイッチトランジスタが遮断状態になることと、
第四の段階では、第七のスイッチトランジスタが導通状態になって、駆動モジュールが第一のレベル端と第二のレベル端を通じて発光モジュールに発光信号を提供することをさらに含む。
【００３６】
さらに、選択的には、第一のスイッチトランジスタ、第二のスイッチトランジスタ、第三のスイッチトランジスタ、第四のスイッチトランジスタ、第五のスイッチトランジスタ、第六のスイッチトランジスタ、駆動トランジスタ、及び増幅トランジスタは、いずれも同一のタイプのトランジスタである。
【００３７】
ここで、第一のスイッチトランジスタ、第二のスイッチトランジスタ、第三のスイッチトランジスタ、第四のスイッチトランジスタ、第五のスイッチトランジスタ、第六のスイッチトランジスタ、第七のスイッチトランジスタ、増幅トランジスタ、及び駆動トランジスタは、いずれも「Ｎ」型トランジスタを用いることを例として説明する。図２で提供される回路図、及び図４で提供されるタッチ制御表示回路の信号の時系列状態の模式図を参照して、本発明の実施形態で提供されるタッチ制御表示回路構成の駆動方法を詳しく説明し、具体的には、以下のようなことを含む。
第一の段階、即ち図４に示す時系列状態模式図中の第一の時間帯では、第一の信号制御線Ｋ１に低レベルを印加して、第一のスキャン線Ｓ１、第一のスキャン線Ｓ２、第三のスキャン線Ｓ３、及びデータ線Ｄｎに高レベルを印加して、タッチ制御ユニット１の第一のスイッチトランジスタＴ１、表示ユニット２の第三のスイッチトランジスタＴ３が導通状態になって、この時に、データ線Ｄｎに印加する高レベルリセット信号が第一のキャパシタＣ１を充電し、第一のキャパシタＣ１はタッチ制御電極の一極（即ち、図にＤノードと接続される一極）としてその電圧がＶｇ（もちろん、このＶｇが十分に大きいので、タッチ制御電極がタッチされる時に電圧の変化が発生しても、増幅トランジスタＭ１の閾値電圧より大きな電圧信号を提供することができる）まで上がって、増幅トランジスタＭ１のゲート電圧とソース電圧の差の絶対値がトランジスタの導通閾値電圧Ｖｔｈ１より大きくて、信号採取線に第一の増幅信号を出力して、この第一の増幅信号を初期基準増幅信号として次の段階の指タッチの発生のために準備する。
【００３８】
この第一の段階においては、表示ユニット２の第三のスイッチトランジスタＴ３、第四のスイッチトランジスタＴ４、第五のスイッチトランジスタＴ５、第七のスイッチトランジスタＴ７、第六のスイッチトランジスタＴ６が遮断状態になって、第一のレベル端Ｖ１が第二のキャパシタＣ２に充電し、ノードＡの電圧が上がり、この過程において、第二のキャパシタＣ２の第二の極、即ち、図中のＡ点の電圧が、第一のレベル端と同等になるまで充電され、この時に、Ａ点電圧ＶＡは第一のレベル端Ｖ１の電圧Ｖ１と等しい、第二のキャパシタＣ２の第一の極がデータ線Ｄｎに接続されると、第二の極の電圧、即ち、Ｂ点電圧ＶＢ＝Ｖｄａｔａ、ここで、Ｖｄａｔａがデータ線で提供される電圧値であり、同様に、図３に示す表示モジュール２１を用いると、この時に第七のスイッチトランジスタＴ７が遮断状態になって、アクティブ発光ダイオードを隔離して、その作用は図２と同じなので、説明を省略する。
【００３９】
第二の段階、即ち図４に示す時系列状態模式図中の第二の時間帯では、第一のスキャン線Ｓ１、第三のスキャン線Ｓ３、及びデータ線Ｄｎに高レベルを印加して、第二のスキャン線Ｓ２、信号制御線Ｋ１に低レベルを印加して、タッチ制御ユニット１の第一のスイッチトランジスタＴ１が遮断状態になって、第二のスイッチトランジスタＴ２と増幅トランジスタＭ１が導通状態になって、指で第一のキャパシタＣ１のタッチ制御電極（即ち、第一のキャパシタＣ１の第二の極）をタッチ制御する時に、ノードＤの電位が下がり、図５に参照すると、第一の段階において第一のキャパシタＣ１を充電して、タッチ制御電極に電圧Ｖｇ（即ち、ノードＤの電圧）を形成し、指でタッチ制御電極Ｎ１の上方に対してタッチする時に、タッチ制御電極の電圧が下がってしまい、図５を参照すると、下がった後の電圧Ｖｄ＝Ｖｇ−△Ｖとなり、第一のキャパシタのタッチ制御電極、及び増幅トランジスタの製造プロセス中の制御によってＶｄ≧Ｖｔｈ１にして、ここで、Ｖｔｈ１が増幅トランジスタＭ１の閾値電圧であり、（即ち、タッチ制御が発生するときに、増幅トランジスタＭ１のゲート電圧とソース電圧の差の絶対値の最小値は、トランジスタの導通閾値電圧Ｖｔｈ１より大きなものであり、即ち、第一の段階と第二の段階との両方において、Ｍ１は、ドレーンを通じて信号採取線Ｌ１に増幅信号を出力することができる）、この時に、Ｄノードの電圧が第一の段階のＶｇからＶｄまで下がっても、増幅トランジスタＭ１のゲートとソースの電圧差が導通条件に満たすので、第二の段階において信号採取線に第二の増幅信号を出力して、これは、タッチが発生した後に、第一の増幅信号に対して第二の増幅信号の電流が下がるためである。
【００４０】
この時、第二のスキャン線Ｓ２によって第一の座標方向を特定して、信号採取線Ｌ１で出力される信号の変化値（第一の増幅信号が第二の増幅信号に変化する）によって、第一の座標方向と垂直する第二の座標方向を特定すれば、タッチ位置を定位することができる。ここで、第二のスキャン線Ｓ２の信号をＸ軸座標方向の信号とし、信号採取線Ｌ１の信号をＹ軸座標方向とし、第一のスキャン線Ｓ１に信号を入力する時に、Ｘ軸方向の座標を特定して、この時、第二のスイッチトランジスタＴ２が導通状態になって、増幅トランジスタＴ３は、変化した第二の増幅信号を信号採取線Ｌ１に出力して、この時、信号採取線Ｌ１における信号の変化を検出する時に、Ｘ、Ｙ座標軸上の座標位置の両方を同時に特定して、これによって、タッチ位置を特定した。
【００４１】
一方、この第二の段階において、表示ユニット２の第四のスイッチトランジスタＴ４、第五のスイッチトランジスタＴ５、第三のスイッチトランジスタＴ３、第六のスイッチトランジスタＴ６が遮断状態になって、この時、第七のスイッチトランジスタＴ７が導通状態になって、アクティブ発光ダイオードＯＬＥＤの両端を短絡させて、第二のキャパシタＣ２は、Ａノード電圧が駆動トランジスタＤＴＦＴの閾値電圧になるまで、放電し、この過程において、第二のキャパシタＣ２の第二の極、即ち、図中のＡ点は、放電を始めて、ＶＡ＝Ｖｔｈ２になれば放電を完了し、ここで、ＶＡが駆動トランジスタＤＴＦＴのゲート電圧であって、この時ＶＢ＝Ｖｄａｔａになっており、ここで、Ｖｄａｔａがデータ線で提供される電圧値であり、Ｖｔｈ２がこの時の駆動トランジスタＤＴＦＴの閾値電圧であり、最後にＡ点の電圧がＶＡ＝Ｖｔｈ２になり、この段階は、補償段階であり、緩衝作用を発揮して、次の段階のために準備する。同様に、図３に示す表示モジュール２１を用いれば、この時に第七のスイッチトランジスタＴ７が遮断状態になって、アクティブ発光ダイオードを隔離して、その作用は図２と同じなので、説明を省略する。
【００４２】
第三の段階、即ち図４に示す時系列状態模式図中の第三の時間帯では、第一のスキャン線Ｓ１、第二のスキャン線Ｓ２、及びデータ線Ｄｎに低レベルを印加して、信号制御線Ｋ１と第三のスキャン線Ｓ３に高レベルを印加して、タッチ制御ユニット１の第一のスイッチトランジスタＴ１が遮断状態になって、第二のスイッチトランジスタＴ２と増幅トランジスタＭ１が導通状態になって、この段階においてタッチ制御ユニット１の作用は第二の段階と同じなので、ここで、説明を省略し、即ち、第三の階段においてもタッチ制御感知が発生可能であり、従って、時間周期の全てにおいてタッチ制御感知を採取できる時間確率を増大させて、さらに、タッチ制御スキャンの正確性を増大させた。
【００４３】
一方、この第三の段階において、表示ユニット２の第三のスイッチトランジスタＴ３、第四のスイッチトランジスタＴ４、第五のスイッチトランジスタＴ５が遮断状態になって、第六のスイッチトランジスタＴ６、第七のスイッチトランジスタＴ７、及び駆動トランジスタＤＴＦＴが導通状態になって、この時に、第七のスイッチトランジスタＴ７が導通状態になって、アクティブ発光ダイオードＯＬＥＤの両端を短絡させて、ノードＢが第一のレベル端Ｖ１に接続され、この時にＡノードがフローティング接続されるので、Ａ、Ｂ点の両方の電圧に等量のジャンプ変化が発生し、即ち、Ｂノード電圧ＶＢ＝Ｖ１になっており、Ａノード電圧ＶＡ＝Ｖ１＋Ｖｔｈ２−Ｖｄａｔａになっており、次の段階の発光のために準備する。同様に、図３に示す表示モジュール２１を用いれば、この時に第七のスイッチトランジスタＴ７が遮断状態になって、アクティブ発光ダイオードを隔離して、その作用は図２と同じなので、説明を省略する。この時にＡ点電圧は、駆動モジュールが記憶する前記動作電圧であり、トランジスタの閾値電圧シフトを回避できる閾値補償電圧であることが分かる。当然ながら、駆動モジュールが記憶する前記動作電圧は、駆動トランジスタを導通することを保証できる電圧であればよく、ここで、限定しない。
【００４４】
第四の段階、即ち図４に示す時系列状態模式図中の第四の時間帯では、第一のスキャン線Ｓ１、第三のスキャン線Ｓ３、信号制御線Ｋ１、及びデータ線Ｄｎに低レベルを印加して、第二のスキャン線Ｓ２に高レベルを印加して、タッチ制御ユニット１が停滞状態になり、第二のスイッチトランジスタＴ２が遮断状態になるので、信号採取線Ｌ１が信号を出力しない。
【００４５】
この第四の段階では、表示ユニット２の第三のスイッチトランジスタＴ３が導通状態になって、他のスイッチトランジスタが全部遮断状態になって、第一のレベル端Ｖ１と第二のレベル端Ｖ２が発光素子Ｏ１に導通信号を印加する。同様に、図３に示す表示モジュール２２を用いれば、この時に第七のスイッチトランジスタＴ７が導通状態になって、第一のレベル端Ｖ１と第二のレベル端Ｖ２が発光素子Ｏ１に導通信号を印加し、その作用は図２と同じなので、説明を省略する。この過程において、アクティブ発光ダイオードが発光を始めて、ここで、駆動電流は、次の数式に従う。
【００４６】
【数１】
2016522429.tif 000003
【００４７】
以上の数式によって、駆動電流ＩＯＬＥＤは、データ線電圧Ｖｄａｔａ値のみと関係するので、駆動電流は、Ｖｔｈ２に影響されなく、ここで、ＶＧＳがＴＦＴゲートとソースとの間の電圧であって、
【数２】
2016522429.tif 000004
とし、μ、Ｃｏｘがプロセス定数であり、ＷがＴＦＴチャネル幅であり、Ｌが薄膜トランジスタのチャネル長さであり、Ｗ、Ｌは、両方とも選択的に設計することができる定数である。
【００４８】
以上は、ボトムエミッション型ＯＬＥＤを発光素子として用いるもの、即ち、第一のレベル端のレベルが第二のレベル端のレベルより高いものを例として説明したが、それ以外で想到できることは、ボトムエミッション型ＯＬＥＤを発光素子として用いる場合に、第二のレベル端が直接にアース端の低レベルと接続され、即ち、ＯＬＥＤのマイナス極がアース端に接続され、このように、回路の設計の困難を低減できて、回路をより構成しやすくなり、なお、以上の実施形態も、第二のレベル端Ｖ２がアース端と接続されることに基づいて説明されたものである。
【００４９】
以上の実施形態は、第一のスイッチトランジスタＴ１、第二のスイッチトランジスタＴ２、第三のスイッチトランジスタＴ３、第四のスイッチトランジスタＴ４、第五のスイッチトランジスタＴ５、第六のスイッチトランジスタＴ６、第七のスイッチトランジスタＴ７、増幅トランジスタＭ１、及び駆動トランジスタＤＴＦＴは、いずれも「Ｎ」型トランジスタを用いることを例として説明したが、当然ながら、表示装置の製造プロセス中に全部「Ｎ」型のトランジスタを用いることは、製造プロセスの減少にも有利で、素子機能の統一性を保証し、ここで、ＬＴＰＳプロセスを用いる優越性が現れ、このプロセスを用いて形成されるトランジスタデバイスは、キャリアの移動度が高い点（トランジスタを小さく作って、歩留まりを向上させる）を除いて、増幅トランジスタＭ１がより高い貫通電圧を有することができる。
【００５０】
以上、各スイッチトランジスタのタイプを制限しないこと、即ち、Ｎ型であってよく、Ｐ型であってもよく、図１では全部Ｎ型のスイッチトランジスタを例として説明したが、当然ながら、タイプを適切に変更してもよく、対応のスイッチトランジスタのタイプを変更して、そのゲートと接続される信号線の印加信号を調整することも、本発明の実施形態の保護範囲に含まれ、当業者が容易に想到できることは、Ｔ１とＴ３が第二のスキャン線Ｓ２を共用して、Ｔ４とＴ５が第一のスキャン線Ｓ１を共用して、Ｔ２とＴ７がスキャン線Ｓ３を共用するので、Ｔ１−Ｔ７のゲートの全てを個別の信号線で制御してもよい。本発明で用いられるスイッチトランジスタゲート信号スキャン線共用の方式は、配線設計の困難の低減に有利に働き、表示パネルの歩留まりを保証し、即ち、本発明の実施形態では、各スイッチトランジスタのタイプを制限せず、スイッチトランジスタのタイプを調整する時に、相応的に、対応の信号線又は信号線に印加するレベル信号を調整すればよい。当然ながら、ここで、本発明の実施形態で提供されるタッチ制御表示回路を実現できる駆動方法を基準にし、当業者が本発明の実施形態で提供されるタッチ制御表示回路と駆動方法に基づいて容易に想到して実現する任意の組合せが本発明の保護範囲内に含まれる。
【００５１】
本発明の実施形態で提供されるタッチ制御表示回路構成駆動方法では、タッチ制御構成の回路と表示ユニットの回路を一緒に集積して、表示ユニットの製造フローを通して、同時に本発明の実施形態で提供されるタッチ制御構成を形成でき、さらにタッチ制御表示製品の生産過程における製造プロセスを減少させて、コストを節約することができるとともに、製品の歩留まりを向上させて、付加価値を増大させ、また、表示ユニットは、電圧補償の方式によって、駆動トランジスタの閾値電圧シフトによるアクティブ発光素子の駆動電流の影響を回避することができ、さらに、表示画像の均一性を向上させた。
【００５２】
また、上記のいずれかのタッチ制御表示回路構成を含むアレイ基板を提供する。
【００５３】
本発明の実施形態で提供されるアレイ基板では、タッチ制御構成の回路と表示ユニットの回路を一緒に集積して、表示ユニットの製造フローを通して、同時に本発明の実施形態で提供されるタッチ制御構成を形成でき、さらにタッチ制御表示製品の生産過程における製造プロセスを減少させて、コストを節約することができるとともに、同時に製品の歩留まりを向上させて、付加価値を増大させ、また、表示ユニットは、電圧補償の方式によって、駆動トランジスタの閾値電圧シフトによるアクティブ発光素子の駆動電流の影響を回避することができ、さらに、表示画像の均一性を向上させた。
【００５４】
また、上記のアレイ基板を含む表示装置を提供する。なお、表示装置は、電子ペーパー、携帯電話、テレビ、デジタルフォトフレームなどの表示デバイスである。
【００５５】
本発明の実施形態で提供される表示装置では、タッチ制御構成の回路と表示ユニットの回路を一緒に集積して、表示ユニットの製造フローを通して、同時に本発明の実施形態で提供されるタッチ制御構成を形成でき、さらにタッチ制御表示製品の生産過程における製造プロセスを減少させて、コストを節約することができるとともに、同時に製品の歩留まりを向上させて、付加価値を増大させ、また、表示ユニットは、電圧補償の方式によって、駆動トランジスタの閾値電圧シフトによるアクティブ発光素子の駆動電流の影響を回避することができ、さらに、表示画像の均一性を向上させた。
【００５６】
以上に記載したものは、本発明の具体的な実施の方法を説明したものであって、本発明の保護範囲がこれに限定されず、当業者が本発明で開示される技術範囲内において容易に想到できる変形や置換は、本発明の保護範囲に含まれる。従って、本発明の保護範囲は、添付の特許請求の範囲の保護範囲を基準とする。
【符号の説明】
【００５７】
１  タッチ制御ユニット
２  表示ユニット
２１  駆動モジュール
２２  発光モジュール
Ｄｎ  データ線
Ｋ１  信号制御線
Ｌ１  信号採取線
Ｓ１  第一のスキャン線
Ｓ２  第二のスキャン線
Ｓ３  第三のスキャン線
Ｖ１  第一のレベル端
Ｖ２  第二のレベル端
ＶＳＳ  アース端
【図１】
2016522429.tif 000005
【図２】
2016522429.tif 000006
【図３】
2016522429.tif 000007
【図４】
2016522429.tif 000008
【図５】
2016522429.tif 000009
【国際調査報告】
2016522429.tif 000010
2016522429.tif 000011
2016522429.tif 000012
2016522429.tif 000013